(57)【要約】      （修正有）【課題】収納ボックス、ドローバーボックス、折り畳みテーブルの機能を一体に統合させて人々の生活の質を向上させる多機能折り畳み器具ボックスを提供する。【解決手段】上側折り畳みレバー２がＵ型のヒンジ５で固定デスクトップボード１の四隅に接続され、下側折り畳みレバー３がＵ型のヒンジで底部フレーム４の四隅に接続され、ストッパ回転ジョイント６が上側及び下側折り畳みレバーの間に設置され、上側及び下側折り畳みレバーがストッパ回転ジョイントで折り畳まれ又は展開されて、固定デスクトップボードが昇降し、取り外し可能な収納バッグが固定デスクトップボードの下方に取り外し可能に設置され、固定デスクトップボードの一側にフリップデスクトップボード８がヒンジで設置され、展開時に固定デスクトップボードと同じ面にあり、フリップデスクトップボードの外側に支持脚９が設置され、ローリングキャスター１０とハンドル１２１を有する伸縮式ロッド１２が底部フレームの底部に設置される。【選択図】図１
0003195127.tif 000002
【実用新案登録請求の範囲】
【請求項１】
固定デスクトップボード（１）、上側折り畳みレバー（２）、下側折り畳みレバー（３）、底部フレーム（４）、Ｕ型のヒンジ（５）、ストッパ回転ジョイント（６）、取り外し可能な収納バッグ(７)、フリップデスクトップボード（８）、支持脚（９）、ローリングキャスター（１０）及び伸縮式ロッド（１２）を含み、上側折り畳みレバー（２）がＵ型のヒンジ（５）で固定デスクトップボード（１）の四隅に接続され、下側折り畳みレバー(３)がＵ型のヒンジ（５）で底部フレーム(４)の四隅に接続され、ストッパ回転ジョイント（６）が上側折り畳みレバー（２）と下側折り畳みレバー（３）との間に設置され、上側折り畳みレバー（２）と下側折り畳みレバー（３）とがストッパ回転ジョイント（６）で折り畳まれ又は展開されて、固定デスクトップボード（１）は昇降し、ストッパ回転ジョイント（６）が上側折り畳みレバー（２）と下側折り畳みレバー（３）とを、回転させて折り畳むように動かす場合、固定デスクトップボード（１）が上側折り畳みレバー（２）と下側折り畳みレバー（３）とを介して底部フレーム（４）上に載せられ、この場合に固定デスクトップボード（１）と底部フレーム（４）との間隔が最も小さく、折り畳んだ後、上側折り畳みレバー（２）及び下側折り畳みレバー（３）が、底部フレーム（４）と平行に水平に設置され、ストッパ回転ジョイント（６）が上側折り畳みレバー（２）と下側折り畳みレバー（３）とを、回転させて展開するように動かす場合、垂直ロッド状になり、固定デスクトップボード（１）と底部フレーム（４）とに直交し、この場合に固定デスクトップボード（１）と底部フレーム（４）との間の間隔が最も大きく、それらの間に収納スペースを形成し、取り外し可能な収納バッグ（７）が上側折り畳みレバー(２)に取り外し可能に固定され、固定デスクトップボード(１)の一側にフリップデスクトップボード(８)がヒンジで設置され、展開時に固定デスクトップボード（１）と同じ水平線にあり、フリップしない状態では固定デスクトップボード（１）に置かれ、フリップデスクトップボード(８)の固定デスクトップボード（１）との接続位置に対向する辺に少なくとも１つの支持脚(９)がヒンジで設置され、支持脚（９）が展開する時にフリップデスクトップボード（８）に直交し、底部フレーム（４）の一側の二隅にローリングキャスター（１０）が設置され、２つのローリングキャスター（１０）がフリップ可能なホイールフレーム（１０１）を介して底部フレーム（４）に接続され、底部フレーム（４）の他側の底部に２つの調整可能なネジ(１１)が設置され、底部フレーム（４）の底部に伸縮式ロッド（１２）が設置され、伸縮式ロッド（１２）のハンドル（１２１）がローリングキャスター（１０）に対して伸縮式ロッド（１２）の上部側に設置されることを特徴とする多機能折り畳み器具ボックス。
【請求項２】
底部フレーム（４）にロックレバー（４１）が設置され、下側折り畳みレバー（３）と底部フレーム（４）とが垂直状態になる場合、ロックレバー（４１）が下側折り畳みレバー（３）に係止され、下側折り畳みレバー（３）と底部フレーム（４）との垂直接続を強化して固定することを特徴とする
請求項１に記載の多機能折り畳み器具ボックス。
【請求項３】
取り外し可能な収納バッグ(７)は、固定ストラップ（７１）、収納壁（７２）、棚上げ底層（７３）及び収納ドア（７４）を含み、収納壁（７２）、棚上げ底層（７３）及び収納ドア（７４）が、１つの六面体に画成し、固定ストラップ（７１）が収納壁（７２）の４つの垂直辺に設置され、且つ上側折り畳みレバー（２）に固定され、取り外し可能な収納バッグ（７）を、固定デスクトップボード（１）と底部フレーム（４）との間の収納スペースに位置させ、収納ドア(７４)が支持脚（９）に対応する他方の面に設けられることを特徴とする
請求項１に記載の多機能折り畳み器具ボックス。
【請求項４】
収納ドア(７４)の両端にある固定ストラップ（７１）に粘着部材が設置され、収納ドア（７４）内に粘着テープが設置され、収納ドア（７４）が開放する時に粘着テープで粘着部材と相互に粘着して上側折り畳みフレーム（２）に固定されることを特徴とする
請求項３に記載の多機能折り畳み器具ボックス。
【請求項５】
収納ドア(７４)の右側の収納壁（７２）に収納ストラップ（７５）が設置され、固定デスクトップボード（１）の、収納ストラップ（７５）に対向する側にスナップリングが設置され、フリップデスクトップボード（８）と固定デスクトップボード（１）とが重なり合う状態になる場合、収納ストラップ（７５）が、スナップリングに固定され、かつフリップデスクトップボード（８）の底面と第二の収納スペースを形成することを特徴とする
請求項３に記載の多機能折り畳み器具ボックス
【請求項６】
前記支持脚（９）とフリップデスクトップボード（８）との連接構造は、支持脚（９）とフリップデスクトップボード（８）との間に曲げ固定ロッド（９１）が設置され、それにより支持脚（９）とフリップデスクトップボード（８）との垂直接続を固定することを特徴とする
請求項１に記載の多機能折り畳み器具ボックス。
【請求項７】
前記支持脚（９）の数量が２つであり、フリップデスクトップボード（８）の固定デスクトップボード（１）との接続位置に対向する辺の２つの隅に対称的に設置されることを特徴とする
請求項１に記載の多機能折り畳み器具ボックス。
【請求項８】
支持脚（９）の底部に調整可能なネジ（１１）が設置されていることを特徴とする
請求項１に記載の多機能折り畳み器具ボックス。
【考案の詳細な説明】
【技術分野】
【０００１】
本考案は、屋外設置器具に関し、特にキャンプ器具ボックスに関する。
【背景技術】
【０００２】
アウトドアは、一般的に屋外品鋭生活、屋外スポーツ、屋外アドベンチャー、自助旅行などと呼ばれ、家を出て行き、屋外で自然と活動する生活様式であり、人間が自然に復帰し、自己に復帰する原始的覚醒であり、人間が自然を探索し、自己を超える精神的なニーズである。現代人の生活条件が良くなることに伴い、より多くの家族が車を運転して野外活動に行くことを好み、屋外活動はほとんど探険性を持った、極限及び亜極限運動に属し、大きな挑戦性と刺激性を有する。自然を抱いて、自己に挑戦して、個人的な忍耐力、チーム間の協力精神を育成し、野外の生存能力を高めることができるということが、若い人に歓迎をもって深く受け入れられている。屋外スポーツは、ますます人々の注目を集めて、日に日に関心を持つ焦点になる。また、我が国の地理的条件がとりわけ恵まれ、良好で広大な自然資源を持つので、屋外スポーツのために１つの広大な空間を提供した。このようにして人々の屋外活動の増加、自ら運転して行う旅行の規模の拡大に伴い、様々な屋外用品もますます改善され、収納整理が、屋外活動の極めて重要な課題になり、特に、今の若い人が屋外キャンプに熱中し、キャンプのために屋外場所にない多くの必需品、例えばテント、寝袋、下敷き、及び食事に必要なテーブルと椅子を携帯する必要があるので、車内にいっぱいに詰め込む場合が多く、運搬が非常に不便であり、また、他のいくつかの必需品が収納されて整理される必要があるので、人々の旅行を容易にするために多機能折り畳み器具ボックスを研究・開発している。
【考案の概要】
【考案が解決しようとする課題】
【０００３】
本考案の目的は、収納ボックス、ドローバーボックス、折り畳みテーブルの３種類の機能を一体に統合させて、キャンプ愛好者の旅行のために極大な便利を与えて、人々の生活の質を向上させる、多機能折り畳み器具ボックスを提供することにある。
【課題を解決するための手段】
【０００４】
本考案において講じた技術的手段は、次の通りである。
【０００５】
多機能折り畳み器具ボックスは、固定デスクトップボード１、上側折り畳みレバー２、下側折り畳みレバー３、底部フレーム４、Ｕ型のヒンジ５、ストッパ回転ジョイント６、取り外し可能な収納バッグ７、フリップデスクトップボード８、支持脚９、ローリングキャスター１０及び伸縮式ロッド１２を含む。上側折り畳みレバー２はＵ型のヒンジ５で固定デスクトップボード１の四隅に接続され、下側折り畳みレバー３はＵ型のヒンジ５で底部フレーム４の四隅に接続され、ストッパ回転ジョイント６は上側折り畳みレバー２と下側折り畳みレバー３の間に設置される。上側折り畳みレバー２と下側折り畳みレバー３とはストッパ回転ジョイント６で折り畳まれ又は展開されて、固定デスクトップボード１が昇降する。ストッパ回転ジョイント６が上側折り畳みレバー２と下側折り畳みレバー３とを、回転させて折り畳むように動かす場合、固定デスクトップボード１は、上側折り畳みレバー２と下側折り畳みレバー３とを介して底部フレーム４上に載せられる。この場合に固定デスクトップボード１と底部フレーム４との間隔が最も小さく、折り畳んだ後、上側折り畳みレバー２及び下側折り畳みレバー３が底部フレーム４と平行に水平に設置される。ストッパ回転ジョイント６が上側折り畳みレバー２と下側折り畳みレバー３とを、展開するように動かす場合、ストッパ回転ジョイント６は、垂直ロッド状になり、固定デスクトップボード１と底部フレーム４とに直交する。この場合に固定デスクトップボード１と底部フレーム４との間の間隔が最も大きく、それらの間に収納スペースが形成され、取り外し可能な収納バッグ７が上側折り畳みレバー２に取り外し可能に固定される。固定デスクトップボード１の一側にフリップデスクトップボード８がヒンジで設置され、展開されると、固定デスクトップボード１と同じ水平線にあり、フリップしない状態では固定デスクトップボード１に置かれる。フリップデスクトップボード８の固定デスクトップボード１との接続位置に対向する辺には少なくとも１つの支持脚９がヒンジで設置され、支持脚９が展開する時にフリップデスクトップボード８に直交する。底部フレーム４の一側の二隅にローリングキャスター１０が設置され、２つのローリングキャスター１０がフリップ可能なホイールフレーム１０１を介して底部フレーム４に接続される。底部フレーム４の他側の底部に２つの調整可能なネジ１１が設置され、底部フレーム４の底部に伸縮式ロッド１２が設置され、伸縮式ロッド１２のハンドル１２１がローリングキャスター１０に対して伸縮式ロッド１２の上部側に設置される。
【０００６】
さらに、底部フレーム４にロックレバー４１が設置され、下側折り畳みレバー３と底部フレーム４が垂直状態になる場合、ロックレバー４１が下側折り畳みレバー３に係止され、下側折り畳みレバー３と底部フレーム４との垂直接続を強化して固定する。
【０００７】
さらに、取り外し可能な収納バッグ７は、固定ストラップ７１、収納壁７２、棚上げ底層７３及び収納ドア７４を含み、収納壁７２、棚上げ底層７３及び収納ドア７４が、１つの六面体を囲み、固定ストラップ７１が収納壁７２の４つの垂直辺に設置され、且つ上側折り畳みレバー２に固定され、取り外し可能な収納バッグ７を、固定デスクトップボード１と底部フレーム４の間との収納スペースに位置させ、収納ドアが支持脚９に対応する他方の面に設けられる。
【０００８】
さらに、収納ドア７４の両端にある固定ストラップ７１に粘着部材が設置され、収納ドア７４内に粘着テープが設置され、収納ドア７４が開放する時に粘着テープで粘着部材と相互に粘着して上側折り畳みフレーム２に固定される。
【０００９】
さらに、収納ドア７４の右側の収納壁７２に収納ストラップ７５が設置され、固定デスクトップボード１の収納ストラップ７５に対向する側にスナップリングが設置され、フリップデスクトップボード８と固定デスクトップボード１とが重なり合う状態になる場合、収納ストラップ７５がスナップリングに固定され、フリップデスクトップボード８の底面と第二の収納スペースを形成する。
【００１０】
さらに、前記支持脚９とフリップデスクトップボード８との連接構造は、支持脚９とフリップデスクトップボード８との間に曲げ固定ロッド９１が設置され、それにより支持脚９とフリップデスクトップボード８との垂直接続を固定する。
【００１１】
さらに、前記支持脚９の数量は２つであり、支持脚９は、フリップデスクトップボード８の固定デスクトップボード１との接続位置に対向する辺の２つの隅に対称的に設置される。
【００１２】
さらに、支持脚９の底部に調整可能なネジ１１が設置されている。
【００１３】
本考案が折り畳み状態から使用状態になる展開ステップは、以下の通りである。
【００１４】
ステップ１：固定デスクトップボード１の両側を攫んで持ち上げ、４つのストッパ回転ジョイント６を内側から外側へ最大位置に引っ張り、それによって上側折り畳みレバー２と折り畳みレバー３とが垂直ロッド状にあり、固定デスクトップボード１と底部フレーム４との間に収納スペースを形成する。
【００１５】
ステップ２：ロックレバー４１を下側折り畳みレバー３に係止させて、下側折り畳みレバー３と底部フレーム４との間の垂直接続を固定する。
【００１６】
ステップ３：支持脚９を曲げ固定ロッド９１でフリップデスクトップボード８に垂直な状態に展開させる。
【００１７】
ステップ４：フリップデスクトップボード８を、支持脚９が地面につくまで外へ１８０度フリップさせ、この場合に固定デスクトップボード１とフリップデスクトップボード８とが一つの平面を形成する。
【００１８】
本考案が使用状態から折り畳み状態になる折り畳みステップは、以下の通りである。
【００１９】
ステップ１：フリップデスクトップボード８を、固定デスクトップボード１と当接するまで１８０度フリップさせる。
【００２０】
ステップ２：曲げ固定ロッド９１を折り畳んで、支持脚９をフリップデスクトップボード８の内側へフリップデスクトップボードと当接するまで折り畳む。
【００２１】
ステップ３：４つのストッパ回転ジョイント６を内側へ引っ張って、上側折り畳みレバー２と下側折り畳みレバー３とを、固定デスクトップボード１が底部フレーム４と当接するまで内側へ回転させ、即ち上側折り畳みレバー２と下側折り畳みレバー３とが水平線に平行に積み重ねられる。
【００２２】
ステップ４：ローリングキャスター１０をフリップ可能なホイールフレーム１０１を介して底部フレーム４内に折り畳み、この場合に構造全体の体積が最も小さく、車のトランクに入れることができる。
【００２３】
本考案が固定デスクトップボード１、上側折り畳みレバー２、下側折り畳みレバー３、底部フレーム４、Ｕ型のヒンジ５、ストッパ回転ジョイント６、取り外し可能な収納バッグ７、フリップデスクトップボード８及び支持脚９を含むので、上側折り畳みレバー２と下側折り畳みレバー３がストッパ回転ジョイント６で固定デスクトップボード１と底部フレーム４との間の折り畳みを完了する。即ちストッパ回転ジョイント６が最大位置に回転する場合、固定デスクトップボード１と底部フレーム４との間に収納スペースが形成され、ストッパ回転ジョイント６が最小位置に回転する場合、固定デスクトップボード１と底部フレーム４との間の体積が最も小さい。取り外し可能な収納バッグ７が、固定デスクトップボード１と底部フレーム４との間の収納スペース内に屋外活動のためのいくつかの必需品を入れるのに便利である。取り外し可能な収納バッグ７が、上側折り畳みレバー２から取り外されると、通常の洗浄クリーニングに関する利便性を与えることができる。フリップデスクトップボード８が固定デスクトップボード１と同じ水平線に位置するまで回転する。この場合、それらが１つの平面のデスクトップを形成し、支持脚９を地面についてフリップデスクトップボード８を支持し、デスクトップ全体に対して良好な安定性作用をもたらし、人々が屋外で食事などの活動を行うことへの利便性を与える。支持脚９がフリップデスクトップボード８内に折り畳まれ、フリップデスクトップボード８が固定デスクトップボード１と貼り合うまで回転する場合、全体の体積が半減する。底部フレームにローリングキャスター１０、調整可能なネジ１１及び伸縮式ロッド１２が設置される場合、調整可能なネジ１１がさらにデスクトップ全体の安定性を調整する。ローリングキャスター１０がフリップ可能なホイールフレーム１０１を介して地面に置かれ、伸縮式ロッド１２がハンドル１２１を介して引き出される場合、人々が物品をいっぱいに入れる本製品を任意の目的地に苦労しないで牽引することができる。目的を達成した場合に固定デスクトップボード１をストッパ回転ジョイント６で底部フレーム４との隙間が最も小さい位置に折り畳み、製品全体の体積が非常に小さくなり、ローリングキャスター１０をフリップ可能なホイールフレーム１０１により底部フレーム４内に折り畳み、このようにして容易に車内の体積の小さい場所に置くことができる。構造全体として巧妙に収納ボックス、ドローバーボックス、折り畳みテーブルの３種類の機能を一体に統合させて、キャンプのための必要な器具及び用品、テント、寝袋、小型折り畳み椅子などを収納して整理することができ、駐車位置から目的地までの間、ドローバーボックスとして使用することができるので、人々の運搬負荷が軽減される。取り外し可能な収納バッグ７内に物がいっぱいに入っている時であり、まだいくつかの小さな物を携帯する必要がある場合、収納ストラップ７５を引き出して固定デスクトップボード１のスナップリングに固定して第二の収納スペースを構成し、それによってこの収納スペースが役割を果たす。屋外で本考案を展開すると、８０×７６センチメートルのテーブルが形成され、人々がそれを使用して食事や娯楽などを行うこと���できる。このようにしてキャンプ愛好者の旅行のために極めて大きな利便性を与えて、人々の生活の質を向上させる。
【図面の簡単な説明】
【００２４】
【図１】本考案の展開状態で取り外し可能な収納バッグが取り外された立体構造を示す図である。
【図２】本考案の展開状態を示す図である。
【図３】図２の右側面図である。
【図４】下側折り畳みレバー、ロックレバー及び底部フレームの接続状態を示す図である。
【図５】本考案の折り畳み状態を示す図である。
【図６】ローリングキャスターが底部フレーム内に折り畳まれた構造を示す図である。
【図７】本考案のドラッグ状態構造を示す図である。
【図８】収納ストラップの構造を示す図である。
【図９】取り外し可能な収納バッグの開放状態構造を示す図である。
【考案を実施するための形態】
【００２５】
以下、図面を参照して本考案の具体的な実施の形態を説明する。多機能折り畳み器具ボックスは、図１〜９に示すように、固定デスクトップボード１、上側折り畳みレバー２、下側折り畳みレバー３、底部フレーム４、Ｕ型のヒンジ５、ストッパ回転ジョイント６、取り外し可能な収納バッグ７、フリップデスクトップボード８、支持脚９、ローリングキャスター１０、調整可能なネジ１１及び伸縮式ロッド１２から構成され、上側折り畳みレバー２がＵ型のヒンジ５で固定デスクトップボード１の四隅に接続され、下側折り畳みレバー３が、Ｕ型のヒンジ５で底部フレーム４の四隅に接続され、ストッパ回転ジョイント６で上側折り畳みレバー２と下側折り畳みレバー３との間に設置され、上側折り畳みレバー２と下側折り畳みレバー３とはストッパ回転ジョイント６で折り畳まれ又は展開されて、固定デスクトップボード１が昇降する。ストッパ回転ジョイント６が上側折り畳みレバー２と下側折り畳みレバー３とを、回転させ折り畳むように動かす場合、固定デスクトップボード１は、上側折り畳みレバー２と下側折り畳みレバー３とを介して底部フレーム４上に載せられ、この場合に固定デスクトップボード１と底部フレーム４との間隔が最も小さくなる。折り畳んだ後、上側折り畳みレバー２及び下側折り畳みレバー３が、底部フレーム４と平行に水平に設置される。ストッパ回転ジョイント６が上側折り畳みレバー２と下側折り畳みレバー３とを、回転させて展開させるように動かす場合、上側折り畳みレバー２と下側折り畳みレバー３とが垂直ロッド状になり、固定デスクトップボード１と底部フレーム４とに直交する。底部フレーム４にロックレバー４１が設置され、この場合にロックレバー４１が下側折り畳みレバー３に係止され、下側折り畳みレバー３と底部フレーム４との垂直接続を強化する。この場合に固定デスクトップボード１と底部フレーム４との間の間隔が最も大きく、それらの間に収納スペースが形成される。取り外し可能な収納バッグ７が固定ストラップ７１、収納壁７２、棚上げ底層７３及び収納ドア７４から構成され、収納壁７２、棚上げ底層７３及び収納ドア７４が１つの六面体を画成する。固定ストラップ７１が収納壁７２の４つの垂直辺に設置され、且つ上側折り畳みレバー２に固定され、取り外し可能な収納バッグ７を固定デスクトップボード１と底部フレーム４との間の収納スペースに位置させ、収納ドア７４が支持脚９に対応する他方の面に設けられる。収納ドア７４の両端にある固定ストラップ７１に粘着（接着）部材が設置され、収納ドア７４内に粘着（接着）テープが設置され、収納ドア７４が開放する時に粘着テープで粘着部材と相互に粘着して上側折り畳みフレーム２に固定される。収納ストラップ７５が収納ドア７４の右側の収納壁７２に設置され、固定デスクトップボード１の収納ストラップ７５に対向する側にスナップリングが設置され、フリップデスクトップボード８と固定デスクトップボード１とが重なり合う状態になる場合、収納ストラップ７５がスナップリングに固定され、フリップデスクトップボード８の底面との間に第二の収納スペースを形成する。固定デスクトップボード１の一側にフリップデスクトップボード８が、ヒンジで設置され、かつ最大限に回転する時に固定デスクトップボード１と同じ水平線にあり、フリップしない状態では固定デスクトップボード１に置かれる。フリップデスクトップボード８に曲げ固定ロッド９１により９０度フリップ可能な２つの支持脚９が設置され、それらがフリップデスクトップボード８の固定デスクトップボード１との接続位置に対向する辺の２つの隅に対称的に設置され、それにより支持脚９とフリップデスクトップボード８との垂直接続を固定する。支持脚９の底部に調整可能なネジ１１が設置され、底部フレーム４の一側の２つの隅に、９０度フリップ可能なローリングキャスター１０が設置され、２つのローリングキャスター１０がフリップ可能なホイールフレーム１０１を介して底部フレーム４に接続される。底部フレーム４の他側の底部に２つの調整可能なネジ１１が設置され、底部フレーム４の底部に伸縮式ロッド１２が設置され、伸縮式ロッド１２のハンドル１２１がローリングキャスター１０に対して伸縮式ロッド１２の上部側に設置される。
【００２６】
本実施形態が使用状態になる操作ステップは、次の通りである。
【００２７】
ステップ１：固定デスクトップボード１の両側を攫んで持ち上げ、４つのストッパ回転ジョイント６を内側から外側へ最大位置に引っ張り、それによって上側折り畳みレバー２と折り畳みレバー３が垂直ロッド状になる。
【００２８】
ステップ２：ロックレバー４１を下側折り畳みレバー３に係止させて、下側折り畳みレバー３と底部フレーム４との間の垂直接続を固定する。
【００２９】
ステップ３：２つの支持脚９を曲げ固定ロッド９１でフリップデスクトップボード８に垂直な状態に展開させる。
【００３０】
ステップ４：フリップデスクトップボード８を、支持脚９が地面に直交するまで外へ１８０度フリップさせ、このように固定デスクトップボード１とフリップデスクトップボード８が一つの平面を形成する。
【００３１】
ステップ５：支持脚９及び底部フレーム４を調整するための調整可能なネジ１１により、デスクトップ全体が最も安定な状態になる。
【００３２】
ステップ６：取り外し可能なバッグ７は、上側折り畳みレバー２と下側折り畳みレバー３と一緒に開放し、収納ドア７４内の粘着テープで固定ストラップ７１上の粘着部材に固定され、この場合に収納の取り出しに関する利便性を与える。
【００３３】
物品を別の位置に牽引する必要がある場合、以下のステップを経てドラッグ状態に達する。
【００３４】
ステップ１：フリップデスクトップボード８を、固定デスクトップボード１と貼り合う（当接する）まで１８０度フリップさせる。
【００３５】
ステップ２：支持脚９と底部フレーム４とを調整可能なネジ１１を、最小位置に調整する。
【００３６】
ステップ３：２つの支持脚９を、曲げ固定ロッド９１でフリップデスクトップボード８と貼り合うまで折り畳む。
【００３７】
ステップ４：ローリングキャスター１０をフリップ可能なホイールフレーム１０１を介して底部フレーム４内から接地状態に置く。
【００３８】
ステップ５：伸縮式ロッド１２のハンドル１２１を、手で攫むことができる位置に引き出す。
【００３９】
ステップ６：収納ストラップ７５を引き出して固定デスクトップボード１のスナップリングに固定すると、フリップデスクトップボード８と形成された第二の収納スペースに物品を入れることができ、収納ストラップ７５で固定される。
【符号の説明】
【００４０】
１  固定デスクトップボード
２  上側折り畳みレバー
３  下側折り畳みレバー
４  底部フレーム
５  Ｕ型ヒンジ
６  ストッパ回転ジョイント
７  取り外し可能な収納バッグ
８  フリップデスクトップボード
９  支持脚
１０  ローリングキャスター
１１  調整可能なネジ
１２  伸縮式ロッド
４１  ロックレバー
７１  固定ストラップ
７２  収納壁
７３  棚上げ底層
７４  収納ドア
７５  収納ストラップ
９１  曲げ固定ロッド
１０１  フリップ可能なホイールフレーム
１２１  ハンドル
【図１】
0003195127.tif 000003
【図２】
0003195127.tif 000004
【図３】
0003195127.tif 000005
【図４】
0003195127.tif 000006
【図５】
0003195127.tif 000007
【図６】
0003195127.tif 000008
【図７】
0003195127.tif 000009
【図８】
0003195127.tif 000010
【図９】
0003195127.tif 000011